(57)【要約】【課題】  各服用時間帯にどの薬をどれだけ服用すべきかということを一目瞭然に把握でき、薬を服用時間帯に対応させて正確かつ簡単に小分けすることができ、もって薬の誤用や飲み忘れを未然に防止することができ、容易に正確な薬の服用をすることができるガイドを提供する。【解決手段】  行、列いずれか一方の項目欄に医療機関にて処方された薬名３が表示され、他方の項目欄に朝・昼・夕・就寝前などの薬の服用時間帯２が表示された格子状の服用案内表に、各服用時間帯における薬の服用数量を記載する服用数量欄５を設け、かつこの服用数量欄に、服用時間帯ごとに色や地模様等の識別用地印刷を施し、しかも前記薬名は、薬が患者に渡される際の薬袋ごとにグループ分けして表示し、任意の服用時間帯ごとに服用すべき薬の数量を確認できるように構成し、また前記薬名の表示欄に、各薬の画像４を表示した構成とした。【選択図】  図１
2007075534.tif 000002
【特許請求の範囲】
【請求項１】
行、列いずれか一方の項目欄に医療機関にて処方された薬名が表示され、他方の項目欄に朝・昼・夕・就寝前などの薬の服用時間帯が表示された格子状の服用案内表に、各服用時間帯における薬の服用数量を記載する服用数量欄を設け、かつこの服用数量欄に、服用時間帯ごとに色や地模様等の識別用地印刷を施し、しかも前記薬名は、薬が患者に渡される際の薬袋ごとにグループ分けして表示し、任意の服用時間帯ごとに服用すべき薬の数量を確認できるように構成してなる服薬ガイド。
【請求項２】
前記薬名の表示欄に、各薬の画像を表示してなる請求項１に記載の服薬ガイド。
【請求項３】
前記各服用時間帯の薬を仕分けして収容する時間帯別薬袋とセットにしてなる請求項１に記載の服薬ガイド。
【請求項４】
前記各時間帯別薬袋に、それぞれの薬袋に収容されるべき薬の画像を表示してなる請求項３に記載の服薬ガイド。
【請求項５】
前記各時間帯別薬袋に、前記服用数量欄における服用時間帯ごとに施された識別用地印刷と同じ地印刷を表示してなる請求項３に記載の服薬ガイド。
【発明の詳細な説明】
【技術分野】
【０００１】
本発明は、医療機関で処方された複数の薬を正確に服用することができ、しかも薬を服用時間帯ごとに分ける作業を簡単かつ正確に行うことができるようにするためのガイドに関する。
【背景技術】
【０００２】
薬は処方どおりに服用しなければ十分な薬効が発揮されないばかりか副作用を惹起するおそれもある。
【０００３】
処方された薬の種類が少なければ、一般的には服用ミスはあり得ないように思われがちであるが、その用法は１日一回朝だけのもの、朝夕だけのもの、毎食後に服用すべきものなど、薬を服用すべき時間帯は様々であり、特に高齢者が糖尿病、高血圧症等の生活習慣病で他の病気を併発している場合には、一度に処方される薬の種類が１０種類を超えるケースは決して少なくはなく、しかも朝昼夕と１回の服用時に組合わされる薬が全て異なることも珍しくない。
【０００４】
また、旅行などで薬を持ち出すような場合、所要の服用時間帯に対してどれだけ薬を準備すればよいかというのを判断するのも煩雑であり、持ち出した薬が足りなくなって正確な服用ができなくなるというようなケースもある。
【０００５】
ところで薬を正確に服用できるように、薬を服用すべき時間帯ごとに薬を小分けしておくための容器やカレンダーが提案されているが（例えば、特許文献１、２参照）、薬を小分けする際には各薬を入れた薬袋（通常は朝だけ、朝夕、毎食後のように服用パターン別に分けて薬袋に入れた状態で渡される）から各薬袋の説明（例えば、特許文献３参照）を見て必要量の薬を取り出さねばならず、服用すべき薬の種類が多い場合や小さい文字を読みにくい高齢者の場合は薬を選び出すだけでも煩雑であり、多量の薬を小分けするのは決して簡単なことではなく、薬の分け方を一旦間違ってしまうと確認するのが困難であり、誤った服用を長期間続けてしまうような重大な危険性も潜在する。
【０００６】
なお、薬局などで薬を渡される際に、口頭での薬事情報の提供のために薬の写真入りの説明書（例えば、特許文献４乃至６参照）が提供されるケースが多いが、各薬ごとにその薬効の説明や服用の仕方の説明があるに止まり、各服用時間帯に服用すべき薬の組み合わせをわかりやすく説明する工夫がなされ、服用時間帯ごとに薬を小分けする際の利便性を図ったものはない。
【特許文献１】特開２００３−１８０７９８号公報（第１〜３頁、図１〜１１）
【特許文献２】特開２００２−２９１８４８号公報（第１〜４頁、図１〜４）
【特許文献３】特開２００３−７０８７８号公報（第１〜４頁、図１〜９）
【特許文献４】特開平０８−６３５１９号公報（第１〜４頁、図３）
【特許文献５】特開平１１−２８８７７号公報（第１〜３頁、図１、３）
【特許文献６】特開２００１−４７７７３号公報（第１〜４頁、図１）
【発明の開示】
【発明が解決しようとする課題】
【０００７】
本発明は、各服用時間帯にどの薬をどれだけ服用するべきかということを一目瞭然に把握でき、薬を服用時間帯に対応させて正確かつ簡単に小分けすることができ、もって薬の誤用や飲み忘れを未然に防止することができ、容易に正確な薬の服用をすることができるガイドを提供することを課題としている。
【課題を解決するための手段】
【０００８】
上記課題を解決するために、本発明に係る服薬ガイドは、行、列いずれか一方の項目欄に医療機関にて処方された薬名が表示され、他方の項目欄に朝・昼・夕・就寝前などの薬の服用時間帯が表示された格子状の服用案内表に、各服用時間帯における薬の服用数量を記載する服用数量欄を設け、かつこの服用数量欄に、服用時間帯ごとに色や地模様等の識別用地印刷を施し、しかも前記薬名は、薬が患者に渡される際の薬袋ごとにグループ分けして表示し、任意の服用時間帯ごとに服用すべき薬の数量を確認できるように構成したものとしてあり、また前記薬名の表示欄に、各薬の画像を表示した構成のものとしてある。
【０００９】
また、前記各服用時間帯の薬を仕分けして収容する時間帯別薬袋とセットにして、各時間帯別薬袋に、それぞれの薬袋に収容されるべき薬の画像を表示し、さらに前記服用数量欄における服用時間帯ごとに施された識別用地印刷と同じ地印刷を表示した構成のものとしてある。
【発明の効果】
【００１０】
本発明の服用ガイドによれば、各服用時間帯における服用すべき薬とその数量をその薬の画像等で確認することができ、したがって各服用時間帯において所要の薬を正確に服用することができて誤飲を未然に防止することができ、服薬の安全性を確保できるとともに充分な薬効を期すことができる。
【００１１】
また、各服用時間帯にどの薬を服用すればよいかが一目瞭然に示されるので、処方された薬を各服用時間帯に正確かつ簡単に小分けすることができ、また小分けした各服用時間帯の薬を表で簡単に確認することもできるので、服薬の安全性をさらに向上せしめることができる。
【００１２】
さらに、服用時間帯ごとの１回の服用量を簡単に把握することができるので、旅行等で薬を持ち出す際にも所要数量の薬を正確に分けることができる。
【００１３】
しかも本発明に係るガイドを各患者に対応させて製作する際には、従来から調剤薬局において広く普及している薬事情報の提供や処方箋データ管理用のシステムあるいは病院にて用いられる電子カルテ等の情報処理手段によって管理、蓄積されているデータを引き出して用いることができ、したがって既存の各種システムに本発明のガイドに対応するレイアウトの出力を行う手段を付加するだけで実用化を達成でき、低コストに患者へのサービス向上を図ることができる。
【実施例】
【００１４】
以下、本発明に係るガイドの実施例を添付図面に示す具体例に基づいて説明する。
服薬案内表１は、行、列よりなる表の上部項目欄（列の項目）に「朝」、「昼」、「夕」等の服用時間帯の表示２、２を有し、左側部項目欄（行の項目）に処方された薬名の表示３、３を設けてあって、薬名欄の隣（図１では右隣）に各薬の写真画像４を表示してある。
なお、薬の画像はモノクロ表示やイラストでもよいが、カラー写真で示すことによって薬および包材の色からも識別できるようにするのが望ましく、また可能な限り実物大で示し、大きさでも識別できるようにするのが好適である。
【００１５】
そして、前記各項目欄に囲まれる格子状のマス内には、薬と服用時間帯に対応する１回分の服用量を数字で記入してあって、服用数量欄５を構成してあり、この服用数量欄は、服用時間帯ごとに識別用地印刷たる色分けあるいは地模様、記号等の印刷で一目で区別できるようにしてある。
【００１６】
さらに、服薬案内表１に表示された薬は、「朝だけ」、「朝・昼・夕」、「朝・夕」、「夕だけ」のように、用法別にグループ分けして並べてあり、薬の表示３、３表示はグループごとに、グループ表示６、６を付してあって、グループ表示の部分には各グループを一目で識別できるようカラー、地模様、記号等の印刷を付してある。
【００１７】
上記グループ表示は、薬局等で患者に渡される薬袋すなわち処方用薬袋８、８が上述のようなグループごとに使用されるのが一般的であることに基づくものであり、したがって各グループは処方用薬袋８、８に対応するものとしてある。
【００１８】
本発明に係るガイドは、上述した構成の服薬案内表１を表示した用紙７が基本構成であり、この用紙７だけでガイドを構成する場合もあるが、さらに以下に説明する処方用薬袋８、８や時間帯別薬袋９、９とセット構成にする場合がある。
【００１９】
前記処方用薬袋８、８には、その表の余白（図２では右上余白部）に識別帯１０を付してあり、この識別帯はカラー、模様あるいは記号等の識別手段によって構成され、前記服薬案内表１のグループ表示６、６における印刷に対応するように構成してある。
【００２０】
また、前記時間帯別薬袋９、９は、図３に示されるように、服用時間帯の表示１１をそれぞれ有するとともに、薬の表示欄１２を備えていて、この薬の表示欄は、各時間帯別薬袋に収容されるべき薬が示されていて、例えば格子状に構成された各表示欄に、それぞれ薬の画像、薬名、用量を表示してある。
【００２１】
上述した時間帯別薬袋９、９は、薬局等で前記処方用薬袋８、８を患者に渡す際に、服薬案内表１とともに本発明のガイドとして渡されるのが望ましく、患者に渡される際には薬が入っていないが、患者が前記案内表１を参照しつつ時間帯別薬袋に振り分けて使用する。
【００２２】
また、各時間帯別薬袋９、９の余白部分にも、前述した処方用薬袋８、８と同様に、カラー、模様あるいは記号等の識別手段によって構成した識別帯１３を付してあり、この識別帯のカラー、模様あるいは記号は前記服薬案内表１における服用数量欄５の地印刷に対応するように構成する。
【００２３】
なお、上記識別帯１３は必ずしも帯状に表示する必要はなく、袋全体に付す場合もあるし、薬の表示欄１２内の全体あるいは適所に付すようにする場合もある。
【００２４】
ところで、前記服薬案内表１の用紙７は単なる１枚の紙として薬局で交付することもできるが、その具体的態様として、例えば図４に示されるように、処方用薬袋１４の裏に服薬案内表１を表示する場合もあり、この場合には、処方用薬袋１４を比較的寸法の大なるもので構成し、この中に通常の処方用薬袋８、８を収容したり、あるいは前記グループごとに小分けした袋に入れて収容したりすることができる。
【図面の簡単な説明】
【００２５】
【図１】本発明に係るガイドの実施例を示す正面図。
【図２】本発明のガイドに使用する処方用薬袋の一例を示す正面図。
【図３】本発明のガイドに使用する時間帯別薬袋の一例を示す正面図。
【図４】本発明に係る他の実施例を示す（ａ）は正面図、（ｂ）は背面図。
【符号の説明】
【００２６】
１  服薬案内表
２  服用時間帯の表示
３  薬名の表示
４  薬の画像
５  服用数量欄
６  グループ表示
７  用紙
８  処方用薬袋
９  時間帯別薬袋
１０  識別帯
１１  服用時間帯の表示
１２  薬の表示欄
１３  識別帯
１４  処方用薬袋
【図１】
2007075534.tif 000003
【図２】
2007075534.tif 000004
【図３】
2007075534.tif 000005
【図４】
2007075534.tif 000006